(57)【要約】【課題】直径が異なる２種類のディスクの装脱を行うことができ、消費電力およびコストの削減を図る上で有利なディスク装置を提供する。【解決手段】大径のディスク１を装脱口４３から押し込むと、第１の左右のガイドレバー４８Ａ、４８Ｂはスライダー４０とともに後方に動かされ、左の駆動レバー５２Ａは、付勢部材５３Ａの付勢力に抗してピン５２０４Ａが後方に移動する方向に揺動される。右の駆動レバー５２Ｂは、スライダー４０の後方移動によりそのピン５２０４Ｂが右の係合溝４６Ｂから開放部４７Ｂを通って外れる。スライダー４０が後端位置まで押し込まれるとロック機構によりスライダー４０が後端位置でロックされるとともに、ディスク１の中心孔と、ターンテーブル１２０２の中心が合致する。【選択図】        図５
2006155706.tif 000002
【特許請求の範囲】
【請求項１】
円盤状の情報記録媒体である大きさの異なる大径ディスクと小径ディスクの装脱を行うディスク装置におけるディスクの装脱機構であって、
前記ディスク装置は、
スピンドルモータが設けられた下フレームと、前記下フレームに対して後端が枢着され下フレームに対して上下揺動するベースプレートと、前記ベースプレートの上方を覆うように前記ベースプレートに取着された上蓋と、前記上蓋の下方で前記ベースプレートの上方に配設されディスクが装脱される前端位置とディスクがスピンドルモータに装着される後端位置との間で移動可能に前記ベースプレートに結合されたスライダーと、前記スライダーに設けられ前記スライダーが前記後端位置に位置し前記上蓋が閉じることで前記ディスクをスピンドルモータのディスク載置部に押え付け、前記上蓋が開くことで前記ディスクから離れるチャックプレートと、前記ベースプレートの上方で前記スライダー及びチャックプレートの下方に形成されたディスク収容空間と、前記ディスク収容空間の前端に設けられ前記上蓋が開くことで露出し前記上蓋が閉じることで閉塞される装脱口とを備え、
前記装脱機構は、
前記装脱口に装入されるディスクが大径ディスクであるか小径ディスクであるかの如何に拘わらず前記スライダーの後端位置においてディスクの中心が前記ディスク載置部の中心に合致する装填位置にディスクを位置させると共に前記スライダーの前端位置において前記ディスクの一部が前記装脱口から外方に突出する排出位置にディスクを位置させるディスク位置決め機構と、
前記装脱口に装入されるディスクが大径ディスクの場合に前記スライダーを前記前端位置から後端位置に移動させると共に前記後端位置から前端位置に移動させる大径ディスク用スライダー駆動機構と、
前記装脱口に装入されるディスクが小径ディスクの場合に前記スライダーを前記前端位置から後端位置に移動させると共に前記後端位置から前端位置に移動させる小径ディスク用スライダー駆動機構と、
前記スライダーが後端位置に位置した際に前記スライダーに係合してスライダーを後端位置に留め、上蓋を閉じたのち開くとスライダーとの係合が解除されるロック機構と、
前記装脱口に装入されるディスクが大径ディスクの場合には前記大径ディスク用スライダー駆動機構を作動させると共に装脱口に装入されたディスクが小径ディスクの場合には前記小径ディスク用スライダー駆動機構を作動させるように前記大径ディスク用スライダー駆動機構と前記小径ディスク用スライダー駆動機構とを切り換える切り換え機構とを備え、
前記ディスク位置決め機構は、前記スライダーに揺動可能に支持されディスクの外周部の周方向に間隔をおいた２箇所に当接可能で閉じる方向に付勢された第１の左右のガイドレバーと、前記第１の左右のガイドレバーに係合し前記ディスクの直径の大きさおよび前記スライダーの前後移動に追従して前記第１の左右のガイドレバーの開度を決定するガイド溝とで構成され、
前記大径ディスク用スライダー駆動機構は、前記第１の左右のガイドレバーと、前記ガイド溝と、前記スライダーに係脱可能に係合し前記スライダーの前後移動に連動して揺動する第１の駆動レバーと、前記スライダーを前端位置に付勢する方向に前記第１の駆動レバーを付勢するばね手段とで構成され、
前記小径ディスク用スライダー駆動機構は、前記第１の左右のガイドレバーと、前記ガイド溝と、前記スライダーに係脱可能に係合し前記スライダーの前後移動に連動して揺動する第２の駆動レバーと、前記スライダーが前記前端位置と後端位置との間の中間位置に位置するときには前記スライダーが前記前端位置に至るように前記第２の駆動レバーを付勢すると共に前記スライダーが前記中間位置を前記後端位置側に越えたときに前記スライダーが前記後端位置に至るように前記第２の駆動レバーを付勢するトグルばねと、前記スライダーを前記後端位置から前記中間位置に戻すように前記第２の駆動レバーを揺動させるイジェクトレバーとで構成され、
前記切り換え機構は、前記ディスクが大径ディスクの場合には、前記第１の駆動レバーを前記スライダーに係合させると共に前記第２の駆動レバーを前記スライダーから外し、前記ディスクが小径ディスクの場合には、前記第１の駆動レバーを前記スライダーから外すと共に前記第２の駆動レバーを前記スライダーに係合させるように構成されている、
ことを特徴とするディスク装置におけるディスクの装脱機構。
【請求項２】
前記上蓋が開くと、前記ディスク収容空間に臨む前記ベースプレートの上面は、前記後端に近づくにつれて次第に低位となるように傾斜することを特徴とする請求項１記載のディスク装置におけるディスクの装脱機構。
【請求項３】
前記第１の左右のガイドレバーは、前記スライダーの箇所で、前記装填位置と排出位置との間で移動する前記大径ディスクあるいは小径ディスクの中心の軌跡に対してほぼ左右対称な箇所にそれぞれ揺動可能に取着されていることを特徴とする請求項１記載のディスク装置におけるディスクの装脱機構。
【請求項４】
前記第１の左右のガイドレバーは、前記スライダーの箇所で、前記装填位置と排出位置との間で移動する前記大径ディスクあるいは小径ディスクの中心の軌跡に対してほぼ左右対称な箇所にそれぞれそれらの長手方向の中間部が揺動可能に支持され、前記第１の左右のガイドレバーにそれぞれ取着されたローラが前記ディスクの外周部に当接し、かつ、前記ローラと同軸上で前記ローラの下方に設けられたピンが前記ガイド溝に係合していることを特徴とする請求項１記載のディスク装置におけるディスクの装脱機構。
【請求項５】
前記第１の駆動レバーと第２の駆動レバーは、前記上蓋の箇所で、前記装填位置と排出位置との間で移動する前記大径ディスクあるいは小径ディスクの中心の軌跡に対してほぼ左右対称な箇所にそれらの長手方向の中間部が揺動可能に取着され、前記スライダーの前部で前記中心の軌跡に対してほぼ左右対称な箇所に前記中心の軌跡と直交する方向に延在する第１の係合溝と第２の係合溝がそれぞれ設けられ、前記第１の係合溝と第２の係合溝の延在方向の端部に前記スライダーの前方に開放された第１の開放部と第２の開放部がそれぞれ設けられ、前記第１の駆動レバーの係合部が前記第１の開放部に臨む前記第１の係合溝箇所に配置されると共に、前記第２の駆動レバーの係合部が前記第２の開放部に臨む前記第２の係合溝箇所に配置され、前記切り換え機構による前記第１の駆動レバーの前記スライダーへの係脱は前記第１の駆動レバーの係合部を前記第１の開放部を経て前記第１の係合溝に係脱することで行われ、前記切り換え機構による前記第２の駆動レバーの前記スライダーへの係脱は前記第２の駆動レバーの係合部を前記第２の開放部を経て前記第２の係合溝に係脱することで行われることを特徴とする請求項１記載のディスク装置におけるディスクの装脱機構。
【請求項６】
前記第１の左右のガイドレバーは、前記装填位置と排出位置との間で移動する前記大径ディスクあるいは小径ディスクの中心の軌跡に対してほぼ左右対称な前記上蓋箇所に揺動可能に取着され、前記切り換え機構は、前記中心の軌跡に対してほぼ左右対称な前記上蓋箇所に揺動可能に取着され前記第１の左右のガイドレバーが当接する前記ディスクの外縁箇所よりも前記装脱口寄りの前記ディスクの外縁箇所に当接し前記ディスクの移動に連動して前記第１の左右のガイドレバーよりも大きなストロークで揺動する第２の左右のガイドレバーと、前記スライダに揺動可能に取着され前記第１の駆動レバーおよび第２の駆動レバーに係合可能な左右のリンクレバーと、第２の駆動レバーの係合部を前記第２の開放部から離れた第２の係合溝箇所方向に付勢するリンクレバー用ばねと、前記上蓋に前記中心の軌跡に対して直交する方向に移動可能に配設され前記装脱口に装入されるディスクが大径ディスクの場合に前記第２の左右のガイドレバーの一方に係合し前記第２の駆動レバーの係合部を前記第２の開放部に留めると共に前記左右のリンクレバーに係合して左右のリンクレバーを揺動させ前記第１の駆動レバーの係合部を前記第１の開放部から離れた前記第１の係合溝内の箇所に移動させ、前記装脱口に装入されるディスクが小径ディスクの場合に前記左右のリンクレバーから離れ前記リンクレバー用ばねにより前記左右のリンクレバーを揺動させ前記第２の駆動レバーの係合部を前記第２の開放部から離れた前記第２の係合溝内の箇所に移動させる検出部材とを備えることを特徴とする請求項５記載のディスク装置におけるディスクの装脱機構。
【発明の詳細な説明】
【技術分野】
【０００１】
本発明はディスク装置におけるディスクの装脱機構に関する。
【背景技術】
【０００２】
ＣＤ、ＣＤ−ＲＯＭ、ＤＶＤ−ＲＯＭなどのような情報記録媒体である円板状のディスク（ディスク状記録媒体）に情報を記録し、または、記録された情報を再生し、または、記録及び再生を行なうディスク装置におけるディスクの装脱（ローディング）を行う装脱機構として、ディスク装置に対して出没するトレーを設け、このトレーにディスクを載置して装脱を行うものが知られている。
このようなトレーを用いた装脱機構は、トレーが移動するためのスペースがディスク装置内部に必要となるためディスク装置の小型化を図る上で不利があり、特に小型化が要求される携帯用のディスク装置に採用するには不適であった。
そこで、トレーを用いることなく、ディスクをディスク装置の装脱口（スロット）を介して装脱する装脱機構が提案されている。
例えば、このような装脱機構として、モータの回転駆動力を用いることによって、直径が１２ｃｍの大径のディスクと、直径が８ｃｍの小径のディスクの２種類のディスクを、ディスク装置の装脱口と、ディスク装置内に設けられたディスク回転駆動用のスピンドルモータのターンテーブルとの間で移動するものが提案されている（例えば特許文献１参照）。
【特許文献１】特開平７−４４９６５号公報
【発明の開示】
【発明が解決しようとする課題】
【０００３】
しかしながら、前記従来技術では、ディスク移動用のモータを駆動するための電力を確保しなくてはならないため、電力消費量を削減する上で不利があり、特に低消費電力が要求される携帯用のディスク装置に採用する上で不利がある。
また、直径が異なる２種類のディスクの装脱を行うためには、ディスクの直径に応じてディスクの移動量を制御する必要があることから、ディスクの直径を検出するセンサやモータの駆動量をディスクの直径に対応して制御する制御回路が必要となるので部品点数の増加が避けられずコスト削減を図る上でも不利がある。
本発明は前記事情に鑑み案出されたものであって、本発明の目的は、直径が異なる２種類のディスクの装脱を行うことができ、消費電力およびコストの削減を図る上で有利なディスク装置におけるディスクの装脱機構を提供することにある。
【課題を解決するための手段】
【０００４】
前記目的を達成するため本発明は、円盤状の情報記録媒体である大きさの異なる大径ディスクと小径ディスクの装脱を行うディスク装置におけるディスクの装脱機構であって、前記ディスク装置は、スピンドルモータが設けられた下フレームと、前記下フレームに対して後端が枢着され下フレームに対して上下揺動するベースプレートと、前記ベースプレートの上方を覆うように前記ベースプレートに取着された上蓋と、前記上蓋の下方で前記ベースプレートの上方に配設されディスクが装脱される前端位置とディスクがスピンドルモータに装着される後端位置との間で移動可能に前記ベースプレートに結合されたスライダーと、前記スライダーに設けられ前記スライダーが前記後端位置に位置し前記上蓋が閉じることで前記ディスクをスピンドルモータのディスク載置部に押え付け、前記上蓋が開くことで前記ディスクから離れるチャックプレートと、前記ベースプレートの上方で前記スライダー及びチャックプレートの下方に形成されたディスク収容空間と、前記ディスク収容空間の前端に設けられ前記上蓋が開くことで露出し前記上蓋が閉じることで閉塞される装脱口とを備え、前記装脱機構は、前記装脱口に装入されるディスクが大径ディスクであるか小径ディスクであるかの如何に拘わらず前記スライダーの後端位置においてディスクの中心が前記ディスク載置部の中心に合致する装填位置にディスクを位置させると共に前記スライダーの前端位置において前記ディスクの一部が前記装脱口から外方に突出する排出位置にディスクを位置させるディスク位置決め機構と、前記装脱口に装入されるディスクが大径ディスクの場合に前記スライダーを前記前端位置から後端位置に移動させると共に前記後端位置から前端位置に移動させる大径ディスク用スライダー駆動機構と、前記装脱口に装入されるディスクが小径ディスクの場合に前記スライダーを前記前端位置から後端位置に移動させると共に前記後端位置から前端位置に移動させる小径ディスク用スライダー駆動機構と、前記スライダーが後端位置に位置した際に前記スライダーに係合してスライダーを後端位置に留め、上蓋を閉じたのち開くとスライダーとの係合が解除されるロック機構と、前記装脱口に装入されるディスクが大径ディスクの場合には前記大径ディスク用スライダー駆動機構を作動させると共に装脱口に装入されたディスクが小径ディスクの場合には前記小径ディスク用スライダー駆動機構を作動させるように前記大径ディスク用スライダー駆動機構と前記小径ディスク用スライダー駆動機構とを切り換える切り換え機構とを備え、前記ディスク位置決め機構は、前記スライダーに揺動可能に支持されディスクの外周部の周方向に間隔をおいた２箇所に当接可能で閉じる方向に付勢された第１の左右のガイドレバーと、前記第１の左右のガイドレバーに係合し前記ディスクの直径の大きさおよび前記スライダーの前後移動に追従して前記第１の左右のガイドレバーの開度を決定するガイド溝とで構成され、前記大径ディスク用スライダー駆動機構は、前記第１の左右のガイドレバーと、前記ガイド溝と、前記スライダーに係脱可能に係合し前記スライダーの前後移動に連動して揺動する第１の駆動レバーと、前記スライダーを前端位置に付勢する方向に前記第１の駆動レバーを付勢するばね手段とで構成され、前記小径ディスク用スライダー駆動機構は、前記第１の左右のガイドレバーと、前記ガイド溝と、前記スライダーに係脱可能に係合し前記スライダーの前後移動に連動して揺動する第２の駆動レバーと、前記スライダーが前記前端位置と後端位置との間の中間位置に位置するときには前記スライダーが前記前端位置に至るように前記第２の駆動レバーを付勢すると共に前記スライダーが前記中間位置を前記後端位置側に越えたときに前記スライダーが前記後端位置に至るように前記第２の駆動レバーを付勢するトグルばねと、前記スライダーを前記後端位置から前記中間位置に戻すように前記第２の駆動レバーを揺動させるイジェクトレバーとで構成され、前記切り換え機構は、前記ディスクが大径ディスクの場合には、前記第１の駆動レバーを前記スライダーに係合させると共に前記第２の駆動レバーを前記スライダーから外し、前記ディスクが小径ディスクの場合には、前記第１の駆動レバーを前記スライダーから外すと共に前記第２の駆動レバーを前記スライダーに係合させるように構成されていることを特徴とする。
【発明の効果】
【０００５】
本発明によれば、大径および小径の２種類のディスクの双方の装脱をモータを用いることなく行うので、電力消費を削減する上で有利であり、特に低消費電力が要求される携帯用のディスク装置に採用する上で有利である。
また、モータを用いた場合には、直径が異なる２種類のディスクの装脱を行うために、ディスクの直径に応じてディスクの移動量を制御する必要があることからディスクの直径を検出するセンサやモータの駆動量をディスクの直径に対応して制御する制御回路を設ける必要があるのに対して、本実施例ではこのような制御回路を要しないので、部品点数の増加を抑制できコスト削減を図る上で有利となる。
【発明を実施するための最良の形態】
【０００６】
本発明は、ディスク位置決め機構と、大径ディスク用スライダー駆動機構と、小径ディスク用スライダー駆動機構と、ロック機構と、切り換え機構とを設けることで上記の目的を達成した。
【実施例１】
【０００７】
以下、本発明の実施例について図面を参照して説明する。
図１はディスク装置１００の斜視図、図２はディスク装置１００の分解斜視図、図３はスライダーの上下を反転させた状態で見た斜視図、図４は上蓋およびベースプレートの上下を反転させた状態で見た斜視図、図５〜図７は大径のディスクの装着動作の説明図、図８〜図１０は小径のディスクの装着動作の説明図である。
【０００８】
図１、図２に示すように、本実施例のディスク装置１００はＣＤやＤＶＤなどのような情報記録媒体である円板状のディスク１（ディスク状記録媒体）の記録および／または再生を行うものであり、下フレーム１０と、上蓋２０と、ベースプレート３０と、スライダー４０などを備えている。なお、本実施例において、ディスク１がディスク装置１００に装脱される方向を前後方向とし、この前後方向に直交する方向を左右方向とし、また、ディスク１がディスク装置１００に装入される装脱口４３側を前方とし、装脱口４３とは反対側を後方とする。
【０００９】
図２に示すように、下フレーム１０は、円板状の底壁１００２と、底壁１００２の周縁から立設された周壁１００４とを有している。
底壁１００２の上面には、スピンドルモータ１２と、光ピックアップ１４とが設けられている。
スピンドルモータ１２は、ディスク装置１００に装入されたディスク１を回転駆動するものであり、スピンドルモータ１２にはディスク１が装着されるターンテーブル１２０２（特許請求の範囲のディスク載置部に相当）が設けられている。
光ピックアップ１４はディスク１に対して光ビームを照射しその反射光ビームを検出するものである。
光ピックアップ１４は、不図示の駆動機構によってガイド部１４０２に沿ってターンテーブル１２０２に装着されたディスク１の半径方向(トラッキング方向)に往復移動されるように構成されている。
光ピックアップ１４は、前記駆動機構によって半径方向に移動しつつ、ディスク１の記録面に対する情報の記録および／または再生を行うように構成されている。
なお、説明の便宜上、スピンドルモータ１２の中心を通り前後方向に延在する仮想線を中心軸Ｏ１とする。
底壁１００２の周壁１００４のうちの後方に臨む箇所には、中心軸Ｏ１を中心としたほぼ線対称の箇所に一対の軸部１００４が設けられている。
周壁１００４のうちの前方に臨む箇所で中心軸Ｏ１を中心としたほぼ線対称の箇所には、常時閉じる方向に付勢された２つのロック爪１６０２が揺動可能に設けられ、これらロック爪１６０２に連結され押圧されることで２つのロック爪１６０２を開く開放ボタン１６０４が設けられている。
【００１０】
図２に示すように、上蓋２０は、下フレーム１０の底壁１００２とほぼ同じ輪郭で形成された上壁２００２と、上壁２００２の周縁から垂設された周壁２００４とを有している。
ベースプレート３０は、前板部３２と、前板部３２よりも大きな輪郭で形成され前板部３２の後方に位置する後板部３４と、前板部３２の後部と後板部３４の前部とに掛け渡されたガイド板３６とを有している。ガイド板３６は、その前端が長溝およびピンを介して前板部３２の後部に連結され、その後端が後板部３４の前端に揺動可能に結合されている。
図２、図４に示すように、前板部３２は、下フレーム１０の底壁１００２の前部で２つのロック爪１６０２の上に配置され、ねじを介して底壁１００２の前部に取着されている。
図４に示すように、後板部３４は、その周縁寄りの箇所が上蓋２０の上壁２００２の周縁寄りのホルダ２１に溶着などにより固着されている。
また、後板部３４の後部に形成された軸受け孔３４０２が下フレーム１０の軸部１００４に挿通され、これにより上蓋２０およびベースプレート３０は、軸部１００４を支点として揺動し下フレーム１０に対して開閉可能に取着されている。
【００１１】
図２に示すように、後板部３４と下フレーム１０の底壁１００２の間には、後板部３４を底壁１００２から離間させる方向に、言い換えると、上蓋２０および後板部３４を開放する方向に常時付勢する付勢部材３１が設けられている。
ベースプレート３０と上壁２００２との間には、ディスク１およびスライダー４０が収容される収容空間が形成され、後板部３４には後方に開放状の切り欠き３４０４が形成され、ターンテーブル１２０２および光ピックアップ１４が切り欠き３４０４を介して前記収容空間に臨むようになっている。
そして、上蓋２０が下フレーム１０に対して開けられることで、図１に示すように、下フレーム１０の周壁１００２が前方に臨む箇所の上縁と、上蓋２０の周壁２００２が前方に臨む箇所の下縁とによって、ディスク１が装脱される装脱口４３が形成され、また、上蓋２０を押し下げることで装脱口４３が閉塞されるように構成されている。
後板部３４の切り欠き３４０４を挟む上面の両側の箇所で中心軸Ｏ１を中心としたほぼ線対称の箇所にはガイド溝３８がそれぞれ形成されている。
各ガイド溝３８は、後板部３４の前部で内側が前方に外側が後方に位置するように左右方向の斜めに延在する横溝部３８０２と、横溝部３８０２の外端に接続され後方に延在する第１の縦溝部３８０４と、横溝部３８０２の外端の内側箇所から後方に延在する第２の縦溝部３８０６とで構成されている。
【００１２】
図２、図４に示すように、左右方向において後板部３４がガイド板３６を挟む２箇所には、係合凸部３４０６がそれぞれ形成されており、これら係合凸部３４０６は、２つのロック爪１６０２と係脱するように構成されている。
具体的には、各係合凸部３４０６は左右方向において互いに離間する方向に臨む側面３４０６Ａと、側面３４０６Ａの上部に接続され上方に臨む係合面３４０６Ｂとを有している。
上蓋２０が下フレーム１０に対して開放された状態では、２つのロック爪１６０２は、各側面３４０６Ａに当接することで開いた状態となっている。
ここで、上蓋２０を下フレーム１０に対して閉じると、２つのロック爪１６０２が各側面３４０６Ａの上端から外れて閉じるとともに各係合面３４０６Ｂに係合することによって、上蓋２０の閉塞状態が保持され、これにより、装脱口４３の閉塞状態が保持される。
また、上蓋２０の閉塞状態が保持された状態で、開放ボタン１６０４を押圧すると、２つのロック爪１６０２が開くことで各ロック爪１６０２と係合面３４０６Ｂとの係合が解除され、各ロック爪１６０２は各側面３４０６Ａに当接することで開いた状態となり、上蓋２０は付勢部材３１の付勢力により上方に開き、これにより、装脱口４３の開放状態が保持される。
【００１３】
スライダー４０は、図２、図３に示すように、前後方向および左右方向に延在する板材からなるスライダー本体４１を有し、スライダー本体４１は、後板部３４に設けられた不図示のガイド部によって、前後方向に往復移動可能に、かつ、上下方向に移動不能に支持されている。したがって、スライダー４０は、上蓋１０およびベースプレート３０と一体に開閉する。
本実施例では、ベースプレート３０の上方でスライダー４０およびチャックプレート４４の下方にディスク１が装入されるディスク収容空間が形成され、ディスク収容空間の前端が装脱口４３となる。
また、スライダー４０は、上蓋２０を開放した状態で、不図示のストッパ部材によって装脱口４３に最も近接した位置すなわちディスク１が装脱される前端位置と、装脱口４３から最も離間した位置すなわちディスク１がスピンドルモータ１２に装着される後端位置との間で移動できるように構成されている。
また、スライダー４０は、スライダー４０が後端位置に位置した状態で上蓋２０が閉塞されると、不図示のロック機構によって後端位置にロックされ、スライダー４０が後端位置に位置した状態で上蓋２０が開放されると、前記ロック機構のロックが解除されるように構成されている。
【００１４】
スライダー４０の中央には前後方向に延在し上下方向に弾性変形可能なチャックアーム４２の基端が取着され、チャックアーム４２の先端に、その中心が中心軸Ｏ１を通るようにチャックプレート４４が設けられている。
チャックプレート４４は、ターンテーブル１２０２にディスク１が載置された状態で上蓋２０が閉じられると、ターンテーブル１２０２に組み込まれたマグネットの磁力によって吸引されることによりディスク１をターンテーブル１２０２に装着するものである。
スライダー本体４１の前部でチャックアーム４２を挟む左右両側で中心軸Ｏ１を中心としたほぼ線対称の箇所に左右方向に延在する左右の係合溝４６Ａ、４６Ｂが形成されている。
左右の係合溝４６Ａ、４６Ｂのチャックアーム４２と離れた箇所に位置する前端箇所は、スライダー４０の前方に開放状に形成された開放部４７Ａ、４７Ｂに接続されている。
【００１５】
図３に示すように、スライダー４０の下面の左右両側箇所には、第１のガイドレバー４８が設けられている。第１のガイドレバー４８は、左ガイドレバー４８Ａと右ガイドレバー４８Ｂからなり、それらガイドレバー４８Ａ、４８Ｂはそれぞれ支軸４８０２Ａ、４８０２Ｂを中心として揺動可能に設けられている。
各ガイドレバー４８Ａ、４８Ｂの先端には、ローラ４８０４Ａ、４８０４Ｂが下方に向けて設けられ、また、ローラ４８０４Ａ、４８０４Ｂと同軸上にピン４８０６Ａ、４８０６Ｂが下方に向けて設けられている。
各ローラ４８０４Ａ、４８０４Ｂは、ディスク１の外周縁に当接可能に設けられ、各ピン４８０６Ａ、４８０６Ｂは、ベースプレート３０の後板部３４の各ガイド溝３８に挿通されそれぞれガイド溝３８に案内されるように構成されている。
【００１６】
図５〜図７に示すように、スライダー４０の上面の左右両側箇所で第１の左右のガイドレバー４８Ａ、４８Ｂの内側には、リンクレバー５０が設けられている。
リンクレバー５０は、それぞれ前後方向に延在する左リンクレバー５０Ａと右リンクレバー５０Ｂからなり、リンクレバー５０Ａ、５０Ｂはそれらの長手方向の中間部がそれぞれ支軸５００２Ａ、５００２Ｂを中心としてスライダー４０に揺動可能に支持されている。
左のリンクレバー５０Ａの前部５００４Ａは、左の係合溝４６Ａ箇所に位置し、後述する左の駆動レバー５２Ａのピン５２０４Ａに当接可能に構成されている。
左のリンクレバー５０Ａの後端５００６Ａは、右のリンクレバー５０Ｂの後端５００６Ｂに当接可能に設けられている。
左のリンクレバー５０Ａは、その後端５００６Ａが右のリンクレバー５０Ｂの後端５００６Ｂに当接する方向にリンクレバー用ばね５１Ａで付勢されている。
右のリンクレバー５０Ｂの前部５００４Ｂは右の係合溝４６Ｂ箇所に位置し、右の駆動レバー５２Ｂのピン５２０４Ｂに当接可能に構成されている。
右のリンクレバー５０Ｂの後端５００６Ｂは、左のリンクレバー５０Ａの後端５００６Ａに当接可能に設けられている。
右のリンクレバー５０Ｂの前部５００４Ｂ寄りの右側部には、後述する検出部材５４の係合片５４０２に係合可能な係合片５００８Ｂが設けられている。
右のリンクレバー５０Ｂは、その前部５００４Ｂが右の駆動レバー５２Ｂのピン５２０４Ｂに係合する方向にリンクレバー用ばね５１Ｂで付勢されている。
【００１７】
図５〜図７に示すように、各第１のガイドレバー４８の左右方向の外側上方における上蓋１０の上板１００２箇所には、駆動レバー５２が設けられている。
駆動レバー５２は、左の駆動レバー５２Ａ（特許請求の範囲の第１の駆動レバーに相当）と右の駆動レバー５２Ｂ（特許請求の範囲の第２の駆動レバーに相当）からなり、各駆動レバー５２Ａ、５２Ｂはそれらの長手方向の中間部がそれぞれ支軸５２０２Ａ、５２０２Ｂを中心として揺動可能に上蓋１０に支持されている。
左の駆動レバー５２Ａの前端にはピン５２０４Ａ（特許請求の範囲の第１の駆動レバーの係合部に相当）が下方に向けて突設され、このピン５２０４Ａがスライダー４０の左の係合溝４６Ａ（特許請求の範囲の第１の係合溝に相当）に装脱可能に構成されている。
左の駆動レバー５２Ａは、ピン５２０４Ａが前方に移動するように付勢部材５３Ａ（特許請求の範囲のばね手段に相当）で付勢されている。
右の駆動レバー５２Ｂの前端にはピン５２０４Ｂ（特許請求の範囲の第２の駆動レバーの係合部に相当）が下方に向けて突設され、このピン５２０４Ｂがスライダー５０の右の係合溝４６Ｂ（特許請求の範囲の第２の係合溝に相当）に装脱可能に構成されている。
右の駆動レバー５２Ｂの後端には後述するイジェクトレバー５８に係合可能なピン５２０６が下方に突設されている。
右の駆動レバー５２Ｂは、スライダー４０が前部寄りに位置している場合にはピン５２０４Ｂを前方に移動させるように、かつ、スライダー４０が後部寄りに位置している場合にはピン５２０４Ｂを後方に移動させるように、トグルばね５３Ｂで付勢されている。したがって、右の駆動レバー５２Ｂは、スライダー４０の移動に伴いトグルばね５３Ｂによって付勢される方向が反転するように構成されている。
【００１８】
図５〜図７に示すように、第１のガイドレバー４８の右ガイドレバー４８Ｂ近傍の上方における上蓋１０の上板１００２箇所には、装入されたディスク１の大きさを検出するための検出部材５４が設けられている。
検出部材５４は左右方向に延在し、不図示のガイド部によって左右方向に往復移動可能に設けられている。
検出部材５４の左寄り箇所には、前述したように右のリンクレバー５０Ｂの係合片５４０２と、右の駆動レバー５２Ｂのピン５２０４Ｂとの双方に係合可能な係合片５４０２が後方に突設され、検出部材５４の右端には、第２のガイドレバー５６の右ガイドレバー５６の係合部５６０６Ｂに係合可能なピン５４０４が下方に突設されている。
検出部材５４は、付勢部材５５によって、ピン５４０４が右ガイドレバー５６の係合部５６０６Ｂに係合する方向（左方向）に付勢されるとともに、係合片５４０２が右の駆動レバー５２Ｂのピン５２０４Ｂに係合する方向に付勢されている。
【００１９】
図５〜図７に示すように、スライダー５０の左右両側の上方における上蓋１０の上板１００２箇所には、第２のガイドレバー５６が設けられている。
第２のガイドレバー５６は、左ガイドレバー５６Ａと右ガイドレバー５６Ｂからなり、各ガイドレバー５６Ａ、５６Ｂはそれらの長手方向の中間部がそれぞれ支軸５６０２Ａ、５６０２Ｂを中心として揺動可能に上蓋１０に支持されている。
各ガイドレバー５６Ａ、５６Ｂの前端には、ローラ５６０４Ａ、５６０４Ｂが下方に向けて設けられ、各ローラ５６０４Ａ、５６０４Ｂは、ディスク１の外周縁に当接可能である。
左ガイドレバー５６Ａの後端に設けられたピン５６０８Ａが右ガイドレバー５６Ｂの後端に設けられた長溝５６０８Ｂに挿通されることで、各ガイドレバー５６Ａ、５６Ｂは後端で連結されている。
これら第２の左右のガイドレバー５６Ａ、５６Ｂは、図５に示すように、付勢部材５７により常時閉じる方向に付勢されている。
【００２０】
図５〜図７に示すように、スライダー５０の右側の上方における上蓋１０の上板１００２箇所には、イジェクトレバー５８が設けられている。
イジェクトレバー５８は、不図示のガイド部によって前後方向に移動可能に上蓋１０に支持されている。
イジェクトレバー５８の前端には、図１に示すように、上蓋１０の周壁１００２の開口から外方に露出する操作部５８０２が設けられている。
イジェクトレバー５８の長手方向の中間部には、右の駆動レバー５２Ｂのピン５２０６Ｂと係合可能な係合片５８０４が突設されている。
イジェクトレバー５８は、その係合片５８０４が右の駆動レバー５２Ａのピン５２０６から離間する方向に付勢部材５９によって付勢されている。
【００２１】
次にディスク装置１００にディスク１を装脱する動作について説明する。
まず、直径が１２ｃｍの大径のディスク１をディスク装置１００に装入する場合について説明する。
説明の便宜上、ディスク装置１００にはディスク１が収容されておらず、この状態で上蓋２０が下フレーム１０に対して閉塞しており、図５に示すように、スライダー４０は前記前端位置に位置し、付勢部材５３Ａは自然長となっており、左の駆動レバー５２Ａのピン５２０４Ａは付勢部材５３Ａによって、左の係合溝４６Ａ内で開放部４７Ａに臨む箇所に位置している。また、検出部材５４を左方に移動させる付勢部材５５も自然長となっており、右の駆動レバー５２Ｂのピン５２０４Ｂは、右の係合溝４６Ｂ内で開放部４７Ｂに臨む箇所に位置している。
まず、開放ボタン１６０４を押圧することで各ロック爪１６０２は開いた状態となり、上蓋２０は付勢部材３１の付勢力により上方に開き、装脱口４３の開放状態が形成される。
【００２２】
ここで、ディスク１を装脱口４３から装入し、ディスク１を、スライダー４０の下方でガイド板３６の上面および後板３４の上面に沿って前記ディスク収容空間内へ移動させる。
この移動により、まず、図５に示すように、ディスク１の外周縁が第１の左右のガイドレバー４８Ａ、４８Ｂのローラ４８０４Ａ、４８０４Ｂと、第２の左右のガイドレバー５６Ａ、５６Ｂのローラ５６０４Ａ、５６０４Ｂとの４箇所に当接され、スライダー４０が移動される。
なお、以後、ディスク１がディスク装置１００から取り出されるまで、上記のディスク１の外周縁に対する４つのローラ４８０４Ａ、４８０４Ｂ、５６０４Ａ、５６０４Ｂの当接状態は維持され、主として第１の左右のガイドレバー４８Ａ、４８Ｂの各ローラ４８０４Ａ、４８０４Ｂがディスク１の外周縁に当接することでスライダー４０に対するディスク１の位置決めがなされる。
この状態でディスク１がさらに押し込まれると、ディスク１の押し込みに伴ってピン４８０６Ａ、４８０６Ｂがベースプレート３０の横溝部３８０２内を移動するので、図６に示すように、第１の左右のガイドレバー４８Ａ、４８Ｂは、ローラ４８０４Ａ、４８０４Ｂがディスク１の外周縁に押圧されることで開く方向に揺動される。また、第２の左右のガイドレバー５６Ａ、５６Ｂもローラ５６０４Ａ、５６０４Ｂがディスク１の外周縁に押圧されることで付勢部材５７の付勢力に抗して開く方向に揺動される。
【００２３】
この際、第１の左右のガイドレバー４８Ａ、４８Ｂは、ディスク１の押し込みに伴ってピン４８０６Ａ、４８０６Ｂがベースプレート３０の横溝部３８０２内を移動する間は開く方向に揺動し、ピン４８０６Ａ、４８０６Ｂが横溝部３８０２から第１の縦溝部３８０４に移動すると、第１の左右のガイドレバー４８Ａ、４８Ｂは揺動できず、ディスク１の押し込みに伴ってピン４８０６Ａ、４８０６Ｂは第１の縦溝部３８０４内を後方に移動し、第１の左右のガイドレバー４８Ａ、４８Ｂは開いた状態でスライダー４０と一体的に後方に移動する。
また、第２の右のガイドレバー５６Ｂが揺動することにより、この右のガイドレバー５６Ｂの係合部５６０６Ｂにピン５４０４を介して係合した検出部材５４は、付勢部材５５の付勢力に抗して右方に動かされる。
【００２４】
検出部材５４が右方に動かされることで、検出部材５４の係合片５４０２に係合片５００８Ｂを介して係合した右のリンクレバー５０Ｂが揺動されると、この右のリンクレバー５０Ｂの後端５００６Ｂによって左のリンクレバー５０Ａの後端５００６Ａが押圧され、左のリンクレバー５０Ａの前端５００４Ａによって、左の駆動レバー５２Ａのピン５２０４Ａが右方に動かされ、ピン５２０４Ａは左の係合溝４６Ａ内で開放部４７Ａよりも右側の箇所に動かされる。
また、右の駆動レバー５２Ｂのピン５２０４Ｂは、付勢部材５５によって左方に付勢されている検出部材５４の係合片５４０２に当接することで開放部４７Ｂに臨む右の係合溝４６Ｂ箇所に留まる。
【００２５】
この状態からさらにディスク１が押し込まれると、第１の左右のガイドレバー４８Ａ、４８Ｂは第１の縦溝部３８０４により揺動不能となっているので、図７に示すように、第１の左右のガイドレバー４８Ａ、４８Ｂはスライダー４０とともに後方に動かされる。
スライダー４０の後方への移動に伴い、左の駆動レバー５２Ａは、そのピン５２０４Ａが左の係合溝４６Ａに係合しているため、付勢部材５３Ａの付勢力に抗してピン５２０４Ａが後方に移動する方向に揺動される。このため、付勢部材５３Ａには、ピン５２０４Ａを前方に移動させる方向に駆動レバー５２Ａを揺動させる付勢力が蓄勢された状態となる。
一方、右の駆動レバー５２Ｂは、スライダー４０の後方移動によりそのピン５２０４Ｂが右の係合溝４６Ｂから開放部４７Ｂを通って外れるため、右の駆動レバー５２Ｂは、トグルばね５３Ｂによってピン５２０４Ｂ部分が僅かに外側に開き、トグルばね５３Ｂによって規制された状態で保持される。
スライダー４０が後端位置まで押し込まれると前記ロック機構によりスライダー４０が後端位置でロックされるとともに、ディスク１は、第１の左右のガイドレバー４８Ａ、４８Ｂによりディスク１の中心孔と、ターンテーブル１２０２の中心が合致した装填位置とされる。
この状態で上蓋２０を下方に動かし装脱口４３を閉塞すると、チャックプレート４４がディスク１の中心孔の周囲に当接し、ターンテーブル１２０２の磁力によって吸引されることでディスク１の装着が完了し、ディスク装置１００によってディスク１に対する再生または記録動作がなされる。
【００２６】
次に、大径のディスク１をディスク装置１００から取り出す場合について説明する。
まず、開放ボタン１６０４を押圧することで上蓋２０が上方に移動され装脱口４３が開かれると、前記ロック機構によるスライダー４０のロックが解除されることで、スライダー４０が後端位置から前端位置へ移動することが可能な状態となる。上述のように付勢部材５３Ａにはピン５２０４Ａを前方に移動する方向に左の駆動レバー５２Ａを揺動させる方向の付勢力が蓄勢されているので、左の駆動レバー５２Ａが付勢部材５３Ａの付勢力によってピン５２０４Ａが前方に移動する方向に揺動されることで、スライダー４０が後端位置から前端位置まで移動される。
【００２７】
この際、第１の左右のガイドレバー４８Ａ、４８Ｂは、スライダー４０の前方への移動に伴ってピン４８０６Ａ、４８０６Ｂがベースプレート３０の第１の縦溝部３８０４内を移動する間は揺動できず、第１の左右のガイドレバー４８Ａ、４８Ｂは開いた状態でスライダー４０と一体に前方に移動する。
ピン４８０６Ａ、４８０６Ｂが第１の縦溝部３８０４から横溝部３８０２に移動すると、スライダー４０の前方への移動に伴って第１の左右のガイドレバー４８Ａ、４８Ｂは閉じる方向に揺動し、これにより第１の左右のガイドレバー４８Ａ、４８Ｂの各ローラ４８０４Ａ、４８０４Ｂによってディスク１の外周縁が前方に押し出され、図５に示した状態に戻る。
これにより、スライダー４０が前端位置となり、第１の左右のガイドレバー４８Ａ、４８Ｂの各ローラ４８０４Ａ、４８０４Ｂによりディスク１の一部が装脱口４３から外方に突出する排出位置とされる。
ここで、装脱口４３から突出したディスク1の一部分を把持して抜去する。
なお、閉じる方向に付勢されている第２の左右のガイドレバー５６Ａ、５６Ｂは、各ローラ５６０４Ａ、５６０４Ｂがディスク１の外周縁に当接しているため、ディスク１の前方への移動に追従してディスク１の直径上に位置する際には大きく開き、以後、閉じる方向に揺動し、図５に示した状態に戻る。
【００２８】
次に、直径が８ｃｍの小径のディスク１をディスク装置１００に装入する場合について説明する。
この小径のディスク１の場合にも、説明の便宜上、ディスク装置１００にはディスク１が収容されておらず、この状態で上蓋２０が下フレーム１０に対して閉塞しており、スライダー４０は前記前端位置に位置し、付勢部材５３Ａは自然長となっており、左の駆動レバー５２Ａのピン５２０４Ａは付勢部材５３Ａによって、左の係合溝４６Ａ内で開放部４７Ａに臨む箇所に位置している。また、検出部材５４を左方に移動させる付勢部材５５も自然長となっており、右の駆動レバー５２Ｂのピン５２０４Ｂは、右の係合溝４６Ｂ内で開放部４７Ｂに臨む箇所に位置している。
まず、開放ボタン１６０４を押圧することで各ロック爪１６０２は開いた状態となり、上蓋２０は付勢部材３１の付勢力により上方に開き、装脱口４３の開放状態が形成される。
【００２９】
ここで、ディスク１を装脱口４３から装入し、ディスク１を、スライダー４０の下方でガイド板３６の上面および後板３４の上面に沿って前記ディスク収容空間内へ移動させる。
この移動により、まず、図８に示すように、ディスク１の外周縁が第１の左右のガイドレバー４８Ａ、４８Ｂのローラ４８０４Ａ、４８０４Ｂと、第２の左右のガイドレバー５６Ａ、５６Ｂのローラ５６０４Ａ、５６０４Ｂとの４箇所に当接され、スライダー４０が移動される。
この状態でディスク１がさらに押し込まれると、ディスク１の押し込みに伴ってピン４８０６Ａ、４８０４Ｂがベースプレート３０の横溝部３８０２内を移動するので、図９に示すように、第１の左右のガイドレバー４８Ａ、４８Ｂは、ローラ４８０４Ａ、４８０４Ｂがディスク１の外周縁に押圧されることで開く方向に揺動される。また、第２の左右のガイドレバー５６Ａ、５６Ｂもローラ５６０４Ａ、５６０４Ｂがディスク１の外周縁に押圧されることで付勢部材５７の付勢力に抗して開く方向に揺動される。
なお、ディスク１がディスク装置１００に装入され押し込まれてから取り出されるまで、大径のディスク１の場合と異なり、第１の左右のガイドレバー４８Ａ、４８Ｂの各ローラ４８０４Ａ、４８０４Ｂがディスク１の外周縁に常時当接し、これによりスライダー４０に対するディスク１の位置決めがなされる。第２の左右のガイドレバー５６Ａ、５６Ｂの各ローラ５６０４Ａ、５６０４Ｂは、ディスク１の後方への移動に伴い、ディスク１の直径上に位置するまではディスク１の外周縁に当接するが、さらなるディスク１の後方への移動により各ローラ５６０４Ａ、５６０４Ｂはディスク１の外周縁から離れる。
【００３０】
第１の左右のガイドレバー４８Ａ、４８Ｂは、ディスク１の押し込みに伴ってピン４８０６Ａ、４８０６Ｂがベースプレート３０の横溝部３８０２内を移動する間は開く方向に揺動し、やがてピン４８０６Ａ、４８０６Ｂは、大径のディスク１の場合と異なって、ディスク１の直径が小さいことから、横溝部３８０２から第２の縦溝部３８０６に移動する。
ピン４８０６Ａ、４８０６Ｂが横溝部３８０２から第２の縦溝部３８０６に移動すると、第１の左右のガイドレバー４８Ａ、４８Ｂは揺動できず、ディスク１の押し込みに伴ってピン４８０６Ａ、４８０６Ｂは第２の縦溝部３８０４内を後方に移動し、第１の左右のガイドレバー４８Ａ、４８Ｂは開いた状態でスライダー４０と一体的に後方に移動する。
また、第２の右のガイドレバー５６Ｂは、揺動されるものの大径のディスク１の場合に比べて揺動量が少ないため、右のガイドレバー５６Ｂの係合部５６０６Ｂに対して検出部材５４は係合されず、付勢部材５５は自然長となっており、検出部材５４は付勢部材５５によって規制される位置に留まっている。
したがって、大径のディスク１の場合と異なって、左右のリンクレバー５０Ａ、５０Ｂは揺動せず、したがって、左の駆動レバー５２Ａのピン５２０４Ａは左の係合溝４６Ａ内で開放部４７Ａに臨む箇所に位置した状態で留まっている。
一方、右の駆動レバー５２Ｂは、検出部材５４が付勢部材５５によって規制される前記位置に留まっている。
【００３１】
この状態からさらにディスク１が押し込まれると、第１の左右のガイドレバー４８Ａ、４８Ｂは第２の縦溝部３８０６により揺動不能となっているので、図１０に示すように、第１の左右のガイドレバー４８Ａ、４８Ｂはスライダー４０とともに後方に動かされる。
スライダー４０の後方への移動に伴い、左の駆動レバー５２Ａは、ピン５２０４Ａが係合溝４６Ａから開放部４７Ａを通って外れるため、左の揺動レバー５２Ａは、自然長となった付勢部材５３Ａによって規制された状態に保持される。
【００３２】
一方、右の駆動レバー５２Ｂは、検出部材５４が右のリンクレバー５０Ｂから離れると、右のリンクレバー５０Ｂはリンクレバー用ばね５１Ｂにより揺動され、右の駆動レバー５２Ｂのピン５２０４Ｂを開放部４７Ｂから離れた右の係合溝４６Ｂ箇所に移動させる。そのため、スライダー４０の後方移動によりピン５２０４Ｂが後方に移動する方向に揺動される。
この際、スライダー４０の後方への移動に伴い、スライダー４０が前記前端位置と後端位置との間の中間位置を超えると、トグルばね５３Ｂは、駆動レバー５２Ｂのピン５２０４Ｂを前方に移動させる方向に付勢する状態から、駆動レバー５２Ｂのピン５２０４Ｂを後方に移動させ方向に付勢する状態にその付勢方向が切り替わる。
トグルばね５３Ｂの付勢力が駆動レバー５２Ｂのピン５２０４Ｂを後方に移動させる方向に切り替わることによって、右の駆動レバー５２Ｂはピン５２０４Ｂが後方へ移動する方向に揺動し、この右の駆動レバー５２Ｂの揺動により、スライダー４０は、後端位置まで移動される。
【００３３】
スライダー４０が後端位置まで押し込まれると前記ロック機構によりスライダー４０が後端位置でロックされ、スライダー４０が後端位置に位置した状態で、トグルばね５３Ｂによって右の駆動レバー５２Ｂはピン５２０４Ｂが後方に移動する方向に付勢された状態が保持されている。
上蓋２０が開いた状態で、後板部３４は、その上面が前方から後方に至るにつれて次第に低位となるように傾斜しているため、ディスク１は後板部３４の上面に沿って後方に滑動し、ディスク１の後方に臨む外周縁（ディスク１が装入される方向の先端の外周縁）が第１の左右のガイドレバー４８Ａ、４８Ｂの各ローラ４８０４Ａ、４８０４Ｂに当接された状態で位置決めされ、ディスク１は、その中心孔と、ターンテーブル１２０２の中心とが合致した装填位置とされる。
この状態で上蓋２０を下方に動かし装脱口４３を閉塞すると、チャックプレート４４がディスク１の中心孔の周囲に当接し、ターンテーブル１２０２の磁力によって吸引されることでディスク１の装着が完了し、ディスク装置１００によってディスク１に対する再生または記録動作がなされる。
【００３４】
次に、小径のディスク１をディスク装置１００から取り出す場合について説明する。
まず、開放ボタン１６０４を押圧することで上蓋２０が上方に移動され装脱口４３が開かれると、前記ロック機構によるスライダー４０のロックが解除されることで、スライダー４０が後端位置から前端位置へ移動することが可能な状態となる。上述のようにトグルばね５３Ｂによって右の駆動レバー５２Ｂはピン５２０４Ｂが後方に移動する方向に付勢されているため、スライダー４０は後端位置に留まっている。
次いで、イジェクトレバー５８の操作部５８０２を付勢部材５９の付勢力に抗して動かすと、イジェクトレバー５８の係合片５８０４が右の駆動レバー５２Ｂのピン５２０６Ｂに係合し右の駆動レバー５２Ｂはピン５２０４Ｂが前方に移動する方向に揺動される。
右の駆動レバー５２Ｂが揺動されることにより、スライダー４０が後端位置から前端位置に向けて移動される。
スライダー４０が後端位置から前端位置に向かって移動され、前記中間位置に至ることで、トグルばね５３Ｂは、駆動レバー５２Ｂのピン５２０４Ｂを後方に移動させ方向に付勢する状態から、駆動レバー５２Ｂのピン５２０４Ｂを前方に移動させる方向に付勢する状態に切り替わる。
これにより、駆動レバー５２Ｂがピン５２０４Ｂを前方に移動させる方向に揺動されることで、スライダー４０は後端位置から前端位置まで移動される。
【００３５】
この際、第１の左右のガイドレバー４８Ａ、４８Ｂは、スライダー４０の前方への移動に伴ってピン４８０６Ａ、４８０６Ｂがベースプレート３０の第２の縦溝部３８０６内を移動する間は揺動できず、第１の左右のガイドレバー４８Ａ、４８Ｂは開いた状態でスライダー４０と一体に前方に移動する。
ピン４８０６Ａ、４８０６Ｂが第２の縦溝部３８０６から横溝部３８０２に移動すると、スライダー４０の前方への移動に伴って第１の左右のガイドレバー４８Ａ、４８Ｂは閉じる方向に揺動し、これにより第１の左右のガイドレバー４８Ａ、４８Ｂの各ローラ４８０４Ａ、４８０４Ｂによってディスク１の外周縁が前方に押し出され、図８に示した状態に戻る。
これにより、ディスク１が装脱口４３に向けて動かされ、ディスク１はその一部が装脱口４３から外方に突出する排出位置とされる。
ここで、装脱口４３から露出したディスク1部分を把持して抜去する。
なお、閉じる方向に付勢されている第２の左右のガイドレバー５６Ａ、５６Ｂが各ローラ５６０４Ａ、５６０４Ｂがディスク１の外周縁に当接すると、ディスク１の前方への移動に追従してディスク１の直径上に位置する際には大きく開き、以後、閉じる方向に揺動し、図８に示した状態に戻る。
【００３６】
本実施例では、装脱口４３に装入されるディスク１が大径ディスクであるか小径ディスクであるかの如何に拘わらずスライダー４０の後端位置においてディスク１の中心がターンテーブル１２０２の中心に合致する装填位置にディスク１を位置させると共にスライダー４０の前端位置においてディスク１の一部が装脱口４３から外方に突出する排出位置にディスク１を位置させるディスク位置決め機構が、スライダー４１に揺動可能に支持されディスク１の外周部の周方向に間隔をおいた２箇所に当接可能で閉じる方向に付勢された第１の左右のガイドレバー４８Ａ、４８Ｂと、第１の左右のガイドレバー４８Ａ、４８Ｂに係合しディスク１の直径の大きさおよびスライダー４０の前後移動に追従して第１の左右のガイドレバー４８Ａ、４８Ｂの開度を決定するガイド溝３８とで構成されている。
本実施例では、第１の左右のガイドレバー４８Ａ、４８Ｂは、前記装填位置と排出位置との間で移動する大径ディスクあるいは小径ディスクの中心の軌跡に対してほぼ左右対称な箇所に配置されている。
また、装脱口４３に装入されるディスク１が大径ディスク１の場合にスライダー４０を前端位置から後端位置に移動させると共に後端位置から前端位置に移動させる大径ディスク用スライダー駆動機構が、第１の左右のガイドレバー４８Ａ、４８Ｂと、ガイド溝３８と、スライダー４０に係脱可能に係合しスライダー４０の前後移動に連動して揺動する左の駆動レバー５２Ａと、スライダー４０を前端位置に付勢する方向に左の駆動レバー５２Ａを付勢する付勢部材５３Ａとで構成されている。
また、装脱口４３に装入されるディスク１が小径ディスクの場合にスライダー４０を前端位置から後端位置に移動させると共に後端位置から前端位置に移動させる小径ディスク用スライダー駆動機構が、第１の左右のガイドレバー４８Ａ、４８Ｂと、ガイド溝３８と、スライダー４０に係脱可能に係合しスライダー４０の前後移動に連動して揺動する右の駆動レバー５２Ｂと、スライダー４０が前端位置と後端位置との間の中間位置に位置するときにはスライダー４０が前端位置に至るように右の駆動レバー５２Ｂを付勢すると共にスライダー４０が中間位置を後端位置側に越えたときにスライダー４０が後端位置に至るように右の駆動レバー５２Ｂを付勢するトグルばね５３Ｂと、スライダー４０を後端位置から中間位置に戻すように右の駆動レバー５２Ｂを揺動させるイジェクトレバー５８とで構成されている。
また、装脱口４３に装入されるディスク１が大径ディスク１の場合には前記大径ディスク用スライダー駆動機構を作動させると共に装脱口４３に装入されたディスク１が小径ディスクの場合には前記小径ディスク用スライダー駆動機構を作動させるように大径ディスク用スライダー駆動機構と小径ディスク用スライダー駆動機構とを切り換える切り換え機構は、第１の左右のガイドレバー４８Ａ、４８Ｂが当接する前記ディスクの外縁箇所よりも前記装脱口４３寄りの前記ディスクの外縁箇所に当接し前記ディスクの移動に連動して前記第１の左右のガイドレバー４８Ａ、４８Ｂよりも大きなストロークで揺動する第２の左右のガイドレバー５６Ａ、５６Ｂと、スライダ４０に揺動可能に取着され左の駆動レバー５２Ａおよび右の駆動レバー５２Ｂに係合可能な左右のリンクレバー５０Ａ、５０Ｂと、右の駆動レバー５２Ｂの係合部を前記第２の開放部から離れた第２の係合溝箇所方向に付勢するリンクレバー用ばね５１Ｂと、上蓋２０に前記大径ディスクあるいは小径ディスクの中心の軌跡に対して直交する方向に移動可能に配設され装脱口４３に装入されるディスク１が大径ディスクの場合に第２の左右のガイドレバー５６Ａ、５６Ｂの一方に係合し右の駆動レバー５２Ｂの係合部を第２の開放部に留めると共に左右のリンクレバーに係合して左右のリンクレバー５０Ａ、５０Ｂを揺動させ左の駆動レバー５２Ａのピン５２０４Ａを開放部４７Ａから離れた左の係合溝４６Ａ内の箇所に移動させ、装脱口４３に装入されるディスク１が小径ディスクの場合に左右のリンクレバー５０Ａ、５０Ｂから離れリンクレバー用ばね５１Ａ、５１Ｂにより左右のリンクレバー５０Ａ、５０Ｂを揺動させ右の駆動レバー５２Ｂのピン５２０４Ｂを開放部４７Ｂから離れた右の係合溝４６Ｂ内の箇所に移動させる検出部材５４とで構成されている。
すなわち、切り換え機構は、ディスク１が大径ディスクの場合には、左の駆動レバー４８Ａをスライダー４０に係合させると共に右の駆動レバー４８Ｂをスライダー４０から外し、ディスク１が小径ディスクの場合には、左の駆動レバー４８Ａをスライダー４０から外すと共に右の駆動レバー４８Ｂをスライダー４０に係合させるように構成されている。
なお、このような切り換え機構の構成は、実施例の構造に限定されず、従来公知の様々な機構、構造の組み合わせで構成することができる。
【００３７】
本実施例によれば、大径および小径の２種類のディスクの双方の装脱をモータを用いることなく行うので、電力消費を削減する上で有利であり、特に低消費電力が要求される携帯用のディスク装置に採用する上で有利である。
また、モータを用いた場合には、直径が異なる２種類のディスクの装脱を行うために、ディスクの直径に応じてディスクの移動量を制御する必要があることからディスクの直径を検出するセンサやモータの駆動量をディスクの直径に対応して制御する制御回路を設ける必要があるのに対して、本実施例ではこのような制御回路を要しないので、部品点数の増加を抑制できコスト削減を図る上で有利となる。
【００３８】
なお、本実施例では、ディスク装置１００が記録および／または再生を行う情報記録媒体（ディスク状記録媒体）としてＣＤやＤＶＤといった光ディスクを用いた場合について説明したが、情報記録媒体はこのような光ディスクに限定されるものではなく、例えば、光磁気ディスクや磁気ディスクなどの種々の情報記録媒体を用いてもよいことは勿論である。
【図面の簡単な説明】
【００３９】
【図１】ディスク装置１００の斜視図である。
【図２】ディスク装置１００の分解斜視図である。
【図３】スライダー４０の上下を反転させた状態で見た斜視図である。
【図４】上蓋およびベースプレートの上下を反転させた状態で見た斜視図である。
【図５】大径のディスクの装着動作の説明図である。
【図６】大径のディスクの装着動作の説明図である。
【図７】大径のディスクの装着動作の説明図である。
【図８】小径のディスクの装着動作の説明図である。
【図９】小径のディスクの装着動作の説明図である。
【図１０】小径のディスクの装着動作の説明図である。
【符号の説明】
【００４０】
１００……ディスク装置、１０……下フレーム、２０……上蓋、３０……ベースプレート、４０……スライダー、４８Ａ、４８Ｂ……第１のガイドレバー、５０Ａ、５０Ｂ……リンクレバー、５２Ａ、５２Ｂ……駆動レバー、５４……検出部材、５６Ａ、５６Ｂ……第２のガイドレバー、５８……イジェクトレバー。
【図１】
2006155706.tif 000003
【図２】
2006155706.tif 000004
【図３】
2006155706.tif 000005
【図４】
2006155706.tif 000006
【図５】
2006155706.tif 000007
【図６】
2006155706.tif 000008
【図７】
2006155706.tif 000009
【図８】
2006155706.tif 000010
【図９】
2006155706.tif 000011
【図１０】
2006155706.tif 000012